(57)【要約】      （修正有）【課題】機械の操作状況を遠方から広い範囲にわたって視認しやすい機械操作用開閉ドアを提供する。【解決手段】機械の正面に開閉可能に設けた機械操作用開閉ドアにおいて、機械本体のカバー表面から隆起させた形に開閉ドア隆起部を形成し、その開閉ドア隆起部の２つの側面の片方又は両方にＬＥＤ表示手段を設ける。【選択図】図１
0003174935.tif 000002
【実用新案登録請求の範囲】
【請求項１】
機械の正面に開閉可能に設けた機械操作用開閉ドアにおいて、機械本体のカバー表面から隆起させた形に開閉ドア隆起部を形成し、その開閉ドア隆起部の側面にＬＥＤ表示手段を設けたことを特徴とする機械操作用開閉ドア。
【請求項２】
開閉ドア隆起部の２つの側面の片方のみにＬＥＤ表示手段を設けたことを特徴とする、請求項１に記載の機械操作用開閉ドア。
【請求項３】
開閉ドア隆起部の２つの側面の両方にＬＥＤ表示手段を設けたことを特徴とする、請求項１に記載の機械操作用開閉ドア。
【請求項４】
開閉ドア隆起部の側面の前方及び後方の両エッジ間の中間領域に、ＬＥＤ表示手段が設けられていることを特徴とする、請求項１〜３のいずれか１項に記載の機械操作用開閉ドア。
【請求項５】
開閉ドア隆起部の側面の前方エッジにＬＥＤ表示手段が設けられていることを特徴とする、請求項１〜３のいずれか１項に記載の機械操作用開閉ドア。
【請求項６】
ＬＥＤ手段が、線状又は帯状に形成されていることを特徴とする、請求項１〜５のいずれか１項に記載の機械操作用開閉ドア。
【請求項７】
ＬＥＤ手段は、複数の色で表示して、表示内容を色別に区別できるようにしたことを特徴とする、請求項１〜６のいずれか１項に記載の機械操作用開閉ドア。
【請求項８】
ドアの材質を炭素繊維にしたことを特徴とする、請求項１〜７のいずれか１項に記載の機械操作用開閉ドア。
【考案の詳細な説明】
【技術分野】
【０００１】
本考案は、マシニングセンター（工作機械）等の機械の正面に開閉可能に設けた機械操作用開閉ドアに関する。
【背景技術】
【０００２】
従来、機械操作用開閉ドアは公知である。特許文献１及び２を参照。
【０００３】
機械操作用開閉ドアにおいて、機械本体のスプラッシュガードの正面の平坦な固定部分にＬＥＤ表示手段を設けることは公知である。この場合、機械本体の正面がよく見える位置であれば、機械の遠方からであっても、ＬＥＤ表示手段の表示の有無を視認することができた。しかし、機械本体の正面がよく見えない位置（例えば、機械本体の側方の遠く離れた位置）からは、ＬＥＤ表示手段の表示の有無を視認することが困難であった。そのため、ＬＥＤ表示手段の表示を確認できなかったり、表示内容の判断ミスをしたりする欠点があった。
【０００４】
また、従来の機械操作用開閉ドアは、ドア材料がスチールや一般の樹脂（ＦＲＰ）のものが主流であった。スチールの場合、（ａ）重い、（ｂ）塗装が必要、（ｃ）傷がつきやすい、等の欠点があった。一般の樹脂（ＦＲＰ）の場合、（ｄ）強度が低く、破壊されやすい、（ｅ）表面が軟かく、傷つきやすい、等の欠点があった。
【先行技術文献】
【特許文献】
【０００５】
【特許文献１】特許公開２００８−２０７２７０
【特許文献２】特許公開２００６−２０５３３７
【考案の概要】
【考案が解決しようとする課題】
【０００６】
本考案の目的は、機械の操作状況を遠方から広い範囲にわたって視認しやすくすることである。
【課題を解決するための手段】
【０００７】
本考案の解決手段を例示すると、実用新案登録請求の範囲に記載のとおりである。
【０００８】
（１）機械の正面に開閉可能に設けた機械操作用開閉ドアにおいて、機械本体のカバー表面から隆起させた形に開閉ドア隆起部を形成し、その開閉ドア隆起部の側面にＬＥＤ表示手段を設けたことを特徴とする機械操作用開閉ドア。
【０００９】
（２）開閉ドア隆起部の２つの側面の片方のみにＬＥＤ表示手段を設けたことを特徴とする前述の機械操作用開閉ドア。
【００１０】
（３）開閉ドア隆起部の２つの側面の両方にＬＥＤ表示手段を設けたことを特徴とする前述の機械操作用開閉ドア。
【００１１】
（４）開閉ドア隆起部の側面の前方及び後方の両エッジ間の中間領域に、ＬＥＤ表示手段が設けられていることを特徴とする前述の機械操作用開閉ドア。
【００１２】
（５）開閉ドア隆起部の側面の前方エッジにＬＥＤ表示手段が設けられていることを特徴とする前述の機械操作用開閉ドア。
【００１３】
（６）ＬＥＤ手段が、線状又は帯状に形成されていることを特徴とする前述の機械操作用開閉ドア。
【００１４】
（７）ＬＥＤ手段は、複数の色で表示して、表示内容を色別に区別できるようにしたことを特徴とする前述の機械操作用開閉ドア。
【００１５】
（８）ドアの材質を炭素繊維にしたことを特徴とする前述の機械操作用開閉ドア。
【考案の効果】
【００１６】
本考案によれば、機械の正面に開閉可能に設けた機械操作用開閉ドアにおいて、機械本体のカバー表面から隆起させた形に開閉ドア隆起部を形成し、その開閉ドア隆起部の側面にＬＥＤ表示手段を設けるので、機械の操作状況を遠方から広い範囲にわたって視認しやすくなった。
【００１７】
開閉ドア隆起部は、機械本体の正面のカバー表面から隆起していて、機械の一番出っ張っている部分であるので、その部分にＬＥＤ表示手段を設けると、遠方からの視認が広い範囲にわたって容易かつ正確にできるのである。とくに、開閉ドア隆起部の２つの側面の両方にＬＥＤ表示手段を設けると、機械から遠方の種々の位置から表示の有無や内容を容易かつ正確にできる。この効果をより確実なものとするために、必要に応じて、開閉ドア隆起部の側面の少なくとも一部を傾斜面にして、そこにＬＥＤ表示手段を設けたり、側面の前方エッジ（縁部）を傾斜面にしたり（とくに正面と側面が交差する端縁を傾斜面にしたり）、あるいは、開閉ドア隆起部の側面だけでなく正面にも追加的にＬＥＤ表示手段を設けたりすることができる。
【００１８】
また、開閉ドアを炭素繊維で作ると、（１）劣化がなく、長く品質を保つことが出来る、（２）スチールに比べて剛性が高く、壊われにくい、（３）材料が硬く、表面に傷がつきにくい、（４）比重が軽く、小さな力で開閉が出来る、（５）表面に塗装することなく、型で成形し、そのまま使用出来る、等の効果が得られる。
【００１９】
（６）カーボンのテクスチャ（材質感や素材感）であるので、肌合が良く、高級感が感じられる。
【図面の簡単な説明】
【００２０】
【図１】本考案の実施例１を示す。
【図２】本考案の実施例２を示す。
【図３】本考案の実施例３を示す。
【考案を実施するための形態】
【００２１】
本考案は、機械の正面に開閉可能に設けた機械操作用開閉ドアを改良したものである。機械の主な例は、マシニングセンターである。
【００２２】
機械本体のカバー表面から隆起させた形に、好ましくは機械本体の上下端の間で延びるように、開閉ドア隆起部を形成し、その開閉ドア隆起部の側面にＬＥＤ表示手段を設ける。
【００２３】
開閉ドア隆起部の２つの側面の片方のみにＬＥＤ表示手段を設けてもよいが、好ましくは、開閉ドア隆起部の２つの側面の両方にＬＥＤ表示手段を設ける。
【００２４】
開閉ドア隆起部の側面は、機械本体のカバー（例えばスプラッシュガード）の垂直な表面に対し直角になるように形成してもよいが、適当な角度（例えば４５°前後）をもたせて、機械本体の真正面から見ても、開閉ドア隆起部の２つの側面の両方に設けたＬＥＤ表示手段の各々の表示を視認しやすくするのが好ましい。
【００２５】
好ましくは、開閉ドア隆起部の各側面の前方及び後方の上下に延びる両エッジ間の中間領域に、ＬＥＤ表示手段が設けられる。
【００２６】
好ましくは、ＬＥＤ手段は、線状又は帯状に形成されている。
【００２７】
開閉ドア隆起部の側面の前方及び後方の両エッジ間の中間領域でなく、開閉ドア隆起部の側面の前方エッジの上にＬＥＤ表示手段を設けることもできる。
【００２８】
広範囲にわたる視認効果を確実にするために、必要に応じて、開閉ドア隆起部の側面の全体を傾斜面にしたり、側面の前方エッジのみを傾斜面にしたり、あるいは、開閉ドア隆起部の側面だけでなく正面にも追加的にＬＥＤ表示手段を設けたりすることができる。
【００２９】
中間領域の場合も、側面の前方エッジのみの場合、好ましくは、ＬＥＤ手段は、線状又は帯状に形成する。
【００３０】
ＬＥＤ手段は、複数の色で表示できるようにすると、表示内容を色別に区別可能になる。
【００３１】
とくに、正面ドアの左右側面の両方（両側）に縦方向にＬＥＤ表示手段を設けて、色別表示をするのが好ましい。
【００３２】
例えば、ドアの前面と左右の両側面にＬＥＤを埋め込むと、遠方より非常に広い範囲にわたって正確かつ確実に視認することが可能である。
【００３３】
機械の加工中は、ドア閉とし、アラーム等の警報を色で識別する。例えば、色別警告は、次のようにすることができる。
【００３４】
１）アラームでかつ赤色は、異常障害等が発生したことを示す。
【００３５】
２）アラームで黄色は、加工完了を示す。
【００３６】
３）アラームで緑色は、正常に加工されていることを示す。
【００３７】
ドアの材質を炭素繊維にすると、とくに正面ドアの材質を炭素繊維にして、表面を硬質にすると、見映が良く、汚れがつきにくい。
【実施例１】
【００３８】
図１は、本考案の実施例１を示す。
【００３９】
図１において、機械の正面に開閉可能に機械操作用開閉ドア１を設ける。機械本体２のカバー表面３から隆起させた形に、かつ、機械本体２の上下方向に延長する形に、開閉ドア隆起部４を形成する。その開閉ドア隆起部４の２つの側面５の各々にＬＥＤ表示手段６を設ける。
【００４０】
開閉ドア隆起部４の２つの側面５の片方のみにＬＥＤ表示手段６を設けてもよいが、好ましくは、開閉ドア隆起部４の２つの側面５の両方にＬＥＤ表示手段６を設ける。
【００４１】
開閉ドア隆起部４の各側面５の前方及び後方の両エッジ間の中間領域に、ＬＥＤ表示手段６が設けられている。
【００４２】
ＬＥＤ手段６は、線状又は帯状に形成されている。
【００４３】
ＬＥＤ手段６は、複数の色で表示して、表示内容を色別に区別できるようになっている。
【００４４】
ドアの材質は炭素繊維である。
【実施例２】
【００４５】
図２は、本考案の実施例２を示す。
【００４６】
図２において、機械の正面に開閉可能に設けた機械操作用開閉ドア１において、機械本体２のカバー表面３から隆起させた形に、かつ、機械本体２の上下方向に延びる形に開閉ドア隆起部４が形成されている。
【００４７】
開閉ドア隆起部４の両側面５の前方エッジにＬＥＤ表示手段７が設けられている。ＬＥＤ手段７は、線状又は帯状に形成されている。
【００４８】
開閉ドア隆起部４の２つの側面５の片方のみにＬＥＤ表示手段７を設けてもよいが、開閉ドア隆起部４の両側面にＬＥＤ表示手段７を設けている。
【００４９】
ＬＥＤ手段７は、複数の色で表示して、表示内容を色別に区別できるものである。
【００５０】
ドアの材質は炭素繊維である。
【実施例３】
【００５１】
図３は、本考案の実施例３を示す。
【００５２】
図３において、機械の正面に開閉可能に機械操作用開閉ドア１を設ける。機械本体２のカバー表面３から隆起させた形に、かつ、機械本体２の上下方向に延長する形に、開閉ドア隆起部４を形成する。その開閉ドア隆起部４の２つの側面５の各々に図1と同じＬＥＤ表示手段６を設ける。開閉ドア隆起部４の各側面５の前方及び後方の両エッジ間の中間領域に、ＬＥＤ表示手段６が設けられている。
【００５３】
開閉ドア隆起部４の２つの側面５の片方のみにＬＥＤ表示手段６を設けてもよいが、好ましくは、開閉ドア隆起部４の２つの側面５の両方にＬＥＤ表示手段６を設ける。
【００５４】
ＬＥＤ手段６は、線状又は帯状に形成されている。
【００５５】
ＬＥＤ手段６は、複数の色で表示して、表示内容を色別に区別できるようになっている。
【００５６】
ドアの材質は炭素繊維である。
【図３】
0003174935.tif 000003
【図１】
0003174935.tif 000004
【図２】
0003174935.tif 000005